(57)【特許請求の範囲】
【請求項１】
上面を開口させる周囲の側壁（１３Ａ）、（１３Ｂ）、（１３Ｃ）、（１３Ｄ）を有する容部材（１１）と、該容部材（１１）の開口上部より上記側壁の外側面に接合される周囲の側壁（１８Ａ）、（１８Ｂ）、（１８Ｃ）、（１８Ｄ）を有する蓋部材（１６）とからなり、上記容部材（１１）の外側面開口部には、上記蓋部材（１６）の嵌入位置を規制するための突条（１５）が形成された樹脂製ケースにおいて、
上記容部材（１１）に形成されているいずれか一つの側壁（１３Ａ）、もしくは蓋部材（１６）に形成されており、かつ上記いずれか一つの側壁（１３Ａ）に対応する側壁（１８Ａ）のいずれか一方、もしくは双方の辺縁に、その辺縁の両端部よりその中央側へ、上記容部材（１１）においては底板（１２）方向へ、蓋部材（１６）においては天板（１７）方向へ傾斜する傾斜縁（２０）を形成したことを特徴とする樹脂製ケース。
【発明の詳細な説明】
【０００１】
【発明の属する技術分野】
本発明は、例えば自動車に設備される樹脂製のケースであって、特に容部材と、蓋部材とからなり、その容部材への蓋部材の被着作業性を高めることができるようにした樹脂製ケースに関するものである。
【０００２】
【従来の技術】
例えば、自動車に設備されている電子機器、あるいはそれらの制御機器等に接続される多数個のフューズ、リレー等は、防水性及び防塵性を有する樹脂製のケース内に一括収納して、例えばエンジンルーム内等の適宜位置で固定保持させているのが一般的である。上記のようにフューズ、リレー等を水分又は塵埃等から保護するために用いられている樹脂製ケースの従来構造としては、例えば図６で示す如き構造であって、１は周囲の側壁１Ａ，１Ｂ，１Ｃ，１Ｄを有する平面長方形の容部材、２はその容部材１に形成されている各側壁１Ａ〜１Ｄの上側開口縁の外側面に重なり合うように形成されている各側壁２Ａ，２Ｂ，２Ｃ，２Ｄを有する平面長方形の蓋部材であって、上記容部材１の開口縁外側面には、容部材１１の係止爪３と、蓋部材２の開口辺縁が接合される突条４が一体形成されている。また上記の蓋部材２には、該蓋部材２を容部材１上に被せたとき、上記の係止爪３に係止される係止片５が一体形成されている。
【０００３】
そして上記の容部材１上に蓋部材２を被着させる手順としては、容部材１の一側壁、例えば図７で示すように、側壁１Ｃに形成されている係止爪３に、蓋部材２の側壁２Ｃに設けられている係止片５を係止させた上で、この係止部を支点として蓋部材２の他側壁２Ａを容部材１の側壁１Ａに接近させるようにして蓋部材２を回動し、さらには容部材１の側壁１Ａに設けられている係止爪３と、蓋部材２の側壁２Ａに設けられている係止片５とを係止させることにより容部材１に対する蓋部材２の被着が完了されるものである。
【０００４】
【発明が解決しようとする課題】
ところが、上記一般的構造の樹脂製ケースにあっては、そのケースの成形時における歪みが生じる。例えば薄肉で形成されている上記樹脂製ケースにあっては、その樹脂成形時において、特にその樹脂製ケースの比較的長い側壁面で図８で示す如き内方向への歪みが生じやすい。容部材１と蓋部材２とが対をなす樹脂製ケースにおいて、これらの歪みが生じていると容部材１へ蓋部材２を被着せしめようとするとき、容部材１と蓋部材２との嵌合作業性が悪いことになる。つまり容部材１を構成している比較的長い側壁１Ａ，１Ｃにおいては、その容部材１内に、例えばリレー、フューズ等のブロック部材が密に収納されていて、それら側壁１Ａ，１Ｃが歪みが生じないように直線的に維持されている容部材１に対して、図８で示すように、内方向へ湾曲する側壁２Ａである蓋部材２を被着しようとするとき、容部材１における側壁１Ａの開口辺縁（上側辺縁）、蓋部材２における湾曲した側壁２Ａ開口辺縁が当接（衝突）し（図９参照）、これが原因で、容部材１上に蓋部材２を被着する作業が円滑に行なわれ難いという不具合があった。
【０００５】
また上記の蓋部材２の樹脂成形時に生じる湾曲歪みを解消するための手段として、その蓋部材２の肉厚を厚くするとか、又はリブ等の補強部を一体形成するとかの対策が考えられているが、これらの対策では、樹脂材料費あるいは金型成形費等が嵩み経済性の点で実施することが困難なものであり、またそのようにすると逆に容部材１及び蓋部材２の被着作業時にたわみがなくなり、被着自体が困難となる場合があった。
【０００６】
本発明はかかることに着目してなされたもので、容部材と蓋部材とが対をなす樹脂製カバーにおいて、その容部材と蓋部材とのいずれか一方の部材の側壁に、内方向へ湾曲する歪みが生じていても、その歪みを有する側壁に対応する相手部材の側壁に、両部材の嵌入力で、上記歪みを修正することができる歪み修正構造を具備せしめて、容部材と蓋部材のいずれか一方の部材の側壁に湾曲する歪みがあっても容部材と蓋部材との嵌合を円滑に行なうことができる樹脂製カバーの提供を目的とする。
【０００７】
【課題を解決するための手段】
上記目的を達成するために、本発明では、上面を開口させる周囲の側壁（１３Ａ）、（１３Ｂ），（１３Ｃ），（１３Ｄ）を有する容部材（１１）と、該容部材（１１）の開口上部より上記側壁の外側面に接合される周囲の側壁（１８Ａ）、（１８Ｂ）、（１８Ｃ）、（１８Ｄ）を有する蓋部材（１６）とからなり、上記容部材（１１）の外側面開口部には上記蓋部材（１６）の嵌入位置を規制するための突条（１５）が形成された樹脂製ケースにおいて、上記容部材（１１）に形成されているいずれか一つの側壁（１３Ａ）、もしくは蓋部材（１６）に形成されており、かつ上記いずれか一つの側壁（１３Ａ）に対応する側壁（１８Ａ）のいずれか一方、もしくは双方の辺縁に、その辺縁の両端部よりその中央側へ、上記容部材（１１）においては底板（１２）方向へ、蓋部材（１６）においては天板（１７）方向へ傾斜する傾斜縁（２０）を形成した樹脂製ケースであることを特徴としている。
【０００８】
【発明の実施の形態】
以下に本発明を図１乃至図５に示す実施形態に基いて詳細に説明する。
【０００９】
図１乃至図４において、１１は例えば自動車に搭載されるフューズ、リレー等を収納する例えばポリプロピレン樹脂等からなる樹脂製カバーの容部材を示し、この容部材１１は、矩形形状の底板１２と、その底板１２の周囲を囲む四方向の正面壁１３Ａ、左側壁１３Ｂ、背壁１３Ｃ、右側壁１３Ｄとにより上面が開口する容体に形成されている。そしてその正面壁１３Ａ及び背壁１３Ｃの外面には、下記する蓋部材を係止せしめるための係止爪１４Ａ及び１４Ｂが一体に形成されている。また各側壁１３Ａ，１３Ｂ，１３Ｃ，１３Ｄの外側面には容部材１１に対する蓋部材の嵌入位置を規制するための突条１５が形成されている。さらに上記正面壁１３Ａの上側辺縁には、その辺縁の両側端より、その中央に沿って、底板１２方向へ傾斜するＶ字状の傾斜縁２０に形成されている。
【００１０】
１６は、上記容部材１１の開口部に被着される蓋部材であって、この蓋部材１６は、矩形形状の天板１７と、その天板１７の周囲を囲む四方向の正面壁１８Ａ、左側壁１８Ｂ、背壁１８Ｃ、右側壁１８Ｄとにより、下面が開口する蓋体に形成されており、さらにこれらの正面壁１８Ａ、左右両側壁１８Ｂ，１８Ｄ及び背壁１８Ｃは蓋部材１６を容部材１１上に被せたとき、上記の各壁１８Ａ〜１８Ｄの内側面が、容部材１１の各壁１３Ａ〜１３Ｄの外側面と接合されるように形状設定がなされている。
【００１１】
また上記蓋部材１６の正面壁１８Ａには容部材１１の係止爪１４Ａと係止される係止片１９Ａが、また背面壁１８Ｃには容部材１１の係止爪１４Ｂと係止される係止片１９Ｂがそれぞれ形成されている。また上記蓋部材１６の正面壁１８Ａには、該蓋部材の樹脂成形時に伴なう内側方向への湾曲歪みが、例えば図３で示すように生じているものとする。
【００１２】
本実施形態で特長とする構成は、容部材１１における正面壁１３Ａの上側辺縁（開口辺縁）に、その辺縁の両側端より、その中央に沿って底板１２方向へ傾斜するＶ字状の傾斜縁２０に形成していることであって、この構成により、上記の如く、正面壁１８Ａに湾曲歪みを有している蓋部材１６を、容部材１１へ被着することが容易となる。即ち、容部材１１の正面壁１３ＡにＶ字状の傾斜縁２０が形成されていることにより、以下の作用が生じる。つまり図４で示すように容部材１１に設けられている係止爪１４Ｂに、蓋部材１６に設けられている係止片１９Ｂを係止した後、その係止点を軸として、その蓋部材１６の正面壁１８Ａ内面が容部材１１の正面壁１３Ａ外面に重なり合うように、蓋部材１６を回動させていく。この動作により容部材１１上に被着されようとしている蓋部材１６における正面壁１８Ａの両端部、即ち歪みを殆ど有していない正面壁１８Ａの両側端内側面が、先ず最初に容部材１１における正面壁１３ＡのＶ字状傾斜縁２０の両側端部外側面上縁部に位置される（図５参照）。さらにその蓋部材１６を、容部材１１へ被せる方向へ回動させるにつれて、蓋部材１６の正面壁１８Ａの辺縁が容部材１１に設けられている正面壁１３Ａの上縁を滑りながら蓋部材１６が容部材１１へと次第に嵌入されていくが、このとき、蓋部材１６に生じている内方向の湾曲歪みが容部材１１の正面壁１３Ａにより押し広げられるので、その蓋部材１６を容部材１１へ嵌入させることが円滑になされるものである。
【００１３】
なお上記の実施形態では、蓋部材の嵌入を案内するためのＶ字状傾斜縁２０を容部材１１の開口辺縁に設けたことで説明したが、これに限られるものではなく、例えばそのＶ字状の傾斜縁２０を蓋部材１６の湾曲歪みを有している正面壁１８Ａの開口縁で、その天板１７方向へ傾斜するように設けると共に、容部材１１の正面壁１３Ａの開口縁は直線状に形成するようにしたものであっても、上記同等の作用を得ることができる。更にＶ字状の傾斜縁２０は円弧状としてもよい。
【００１４】
【発明の効果】
以上のように本発明の樹脂製ケースによれば、該樹脂製ケースを構成する容部材１１と蓋部材１６との嵌合壁面相互間で、その嵌合が妨げ（干渉）られるような歪みが生じていても容部材１１と蓋部材１６とを円滑に嵌合せしめることができる。
【図面の簡単な説明】
【図１】本発明よりなる樹脂製ケースの容部材を示した斜視図。
【図２】本発明よりなる樹脂製ケースの容部材を示した正面図。
【図３】本発明よりなる樹脂製ケースの蓋部材を示した下面図。
【図４】本発明よりなる樹脂製ケースの嵌合時を示す断面図。
【図５】（イ）及び（ロ）は本発明よりなる樹脂製ケースの図３におけるイ−イ、ロ−ロに対応する位置の容部材と蓋部材との嵌合過程を示す説明図。
【図６】従来の樹脂製ケースの容部材及び蓋部材を示した斜視図。
【図７】従来の樹脂製ケースの嵌合時を示す断面図。
【図８】樹脂製ケースの湾曲歪みを示した説明図。
【図９】従来の樹脂製ケースの容部材と蓋部材との嵌合過程を示す説明図で、（イ）は図８のイ−イ断面部の説明図、（ロ）は図８のロ−ロ断面部の説明図。
【符号の説明】
１１…容部材
１２…底板
１３Ａ，１３Ｂ，１３Ｃ，１３Ｄ…壁
１４Ａ，１４Ｂ…係止爪
１５…突条
１６…蓋部材
１７…天板
１８Ａ，１８Ｂ，１８Ｃ，１８Ｄ…壁
１９Ａ，１９Ｂ…係止片
２０…傾斜縁
【図１】
0003952567.tif 000002
【図２】
0003952567.tif 000003
【図３】
0003952567.tif 000004
【図４】
0003952567.tif 000005
【図５】
0003952567.tif 000006
【図６】
0003952567.tif 000007
【図７】
0003952567.tif 000008
【図８】
0003952567.tif 000009
【図９】
0003952567.tif 000010